(57)【特許請求の範囲】
【請求項１】
回転軸を被研削面と直交する状態にして被研削面と平行な平面上で回転するロータと、このロータのロアに支軸を被研削面と平行にして回転自在に取り付けられた左右一対の回転刃とを備え、上記ロアの対向する隅の位置にバネ収納部が上面を開口して形成され、このバネ収納部に研削時の衝撃を緩和するバネが収納された研削機のロータリカッター装置において、上記のバネ収納部が横断面略円形の孔状に形成され、このバネ収納部に対応するロアの直近の前後の側壁の位置がバネ収納部の深さの全長にわたって切り欠かれ、又この側壁の開口の幅がバネ収納部の直径より短く選定され、上記のバネが露出状に収納されたことを特徴とする研削機のロータリカッター装置。
【発明の詳細な説明】
【０００１】
【産業上の利用分野】
本発明は、アスファルト道路、コンクリート道路の路面等を研削し、道路区画線等を消去するのに使用する研削機に関し、更に詳しくはこの研削機のロータリカッター装置に関するものである。
【０００２】
【従来の技術】
従来この種の装置としては、例えば回転軸を被研削面と直交する状態にして被研削面と平行な平面上で回転するロータと、このロータのロアに支軸を被研削面と平行にして回転自在に取り付けられた左右一対の回転刃とを備えてなるものがある。この従来装置では、上記ロアの対向する隅の位置にバネ収納部が上面を開口して形成され、このバネ収納部に研削時の衝撃を緩和するバネが収納されていた（例えば特開平２ー１３９１６８号公報、意匠登録第８４６１７８号公報等参照）。
【０００３】
【発明が解決しようとする課題】
ところでこの種装置は、路面を回転刃で掻き取るようにして研削し道路区画線等を消去するものであるから、研削時の振動、衝撃で上記のバネが損傷することを避けられない。従ってこの種装置の場合は、バネの点検交換の作業が必要になる為、この種作業を簡便、手軽にできることが望ましい。
しかるに従来品は、上記のバネ収納部が単に有底孔に形成されているのに過ぎなかったから、バネの点検を外部から見て行なうことができず、ロータを分解してはじめてバネ折れやひび割れ等の異常を発見できるものであった。
従って従来品を使用すると、ロータの保守点検作業に煩わしさを伴い、この種作業に手間暇がかかる分、維持コストがかかるという問題点があった。
【０００４】
又この種装置を備えた研削機は、通常、作業者が押し引きするものであり、この際は研削時に回転刃と被研削面との間に生じる摩擦抵抗が加わるものである。従ってこのような研削機の構成部品であるこの種装置にあっては、押し引き作業にかかる労力を軽減できるよう、少しでも装置の軽量化を図れるよう構成されることが望ましい。
【０００５】
本発明は、このような従来品の問題点を解消しようとするものである。
従って本発明の技術的課題は、バネを外部から簡単に点検できるよう形成して、ロータの保守作業の容易化、維持コストの低減化を可能にし、又軽量化を図れるよう形成した研削機のロータリカッター装置を提供することにある。
【０００６】
【課題を解決するための手段】
本発明は、上記の課題を解決するために次のような技術的手段を採る。
即ち本発明は、回転軸１ａを被研削面２と直交する状態にして被研削面２と平行な平面上で回転するロータ１と、このロータ１のロア１ｃに支軸５を被研削面２と平行にして回転自在に取り付けられた左右一対の回転刃４とを備え、上記ロア１ｃの対向する隅の位置にバネ収納部８が上面を開口して形成され、このバネ収納部８に研削時の衝撃を緩和するバネ９が収納された研削機のロータリカッター装置において、上記のバネ収納部８が横断面略円形の孔状に形成され、このバネ収納部８に対応するロア１ｃの直近の前後の側壁１１の位置がバネ収納部８の深さＤの全長にわたって切り欠かれ、又この側壁１１の開口１２の幅Ｗがバネ収納部８の直径Ｒより短く選定され、上記のバネ９が露出状に収納されたことを特徴とする。
【０００７】
本発明の場合は、開口１２の幅Ｗより直径が大きいバネ９を選定することにより、バネ収納部８からバネ９が脱落するのを防止できる。
【０００８】
【作用】
本発明は、回転刃４が左右一対状の二枚刃式である。従ってロータ１が回転すると、回転刃４はロータ１が反回転する毎、研削機本体３の押し引き方向と平行になる。その結果本発明では、回転刃４がロア１ｃの例えば四側面の全てに設けられた四枚刃式等のこの種装置に比べると、被研削面２との接触抵抗が小さく、従ってその分、軽く楽に押し引きできる。
又本発明装置では、研削時の振動や衝撃等は、バネ９で緩和され、バネ９の点検作業はロア１ｃの側壁１１に形成された開口１２から見て行なう。
【０００９】
【実施例】
以下、本発明の好適な一実施例を添付図面に従って説明する。
１は、被研削面２と平行な平面上で回転するロータである。このロータ１は、回転軸１ａを被研削面２と直交する状態にして、研削機本体３（図３参照）の下部に設けられ、カバー３ａで覆われる。尚１ｂはロータアッパ、１ｃはロア、１ｄはピボットピン、１ｅは前後一対のピンホルダーである。
【００１０】
４は、上記のロア１ｃに支軸５を被研削面２と平行にして回転自在に取り付けられた左右一対の回転刃である。この回転刃４の周面には、ピン状の刃４ａが所定の間隔をおいて多数植設されている。尚６は左右一対のガードリング、７は支軸５に回転刃４を固定するナットである。
【００１１】
又８は、上記ロア１ｃの対向する隅の位置に上面を開口して形成されたバネ収納部である。このバネ収納部８は、図５、図６等に示される如く、本発明では横断面略円形の孔状に形成されている。９は、研削時の衝撃を緩和するバネとしてのコイルスプリングである。このバネ９は、上記のバネ収納部８に収納されている。尚１０は、上記のピボットピン１ｄが挿通される貫通孔である。
【００１２】
上記バネ収納部８に対応するロア１ｃの直近の側壁１１の位置は、バネ収納部８の深さＤ（図７参照）の全長にわたって切り欠かれ、上記のバネ９は露出状に収納されている。上記の側壁１１は、本発明では図示される如く、ロア１ｃの前後の側壁である。１２は、側壁１１の上記の位置に形成された開口である。この開口１２の幅Ｗ（図６参照）は、バネ収納部８の直径Ｒ（図８参照）より短く選定されている。
【００１３】
次にこの実施例の作用を説明する。
本発明ではロータ１が回転すると、回転刃４が被研削面２としての例えば路面を研削し、センターライン等の道路区画線を消去する。この場合本発明では、回転刃４が左右一対状の二枚刃であるから、ロータ１が反回転する毎に回転刃４が研削機本体３の移動方向と平行になる。従って本発明装置では、回転刃４がロア１ｃの例えば前後左右の四側面に配設された四枚刃式のものに比べ、路面との接触抵抗が軽減され、軽く楽に押し引きできる。
【００１４】
又本発明装置の場合、研削時の振動や衝撃等はバネ９で緩和され、バネ９の点検作業はロア１ｃの前後方向から、上記の開口１２を介して見て行なう。
【００１５】
以上の処において、本発明では、上記のバネ９はコイルスプリングには限られず、その他例えば柱状、筒状に形成されたウレタンゴム等でなるのでも良い。
【００１６】
又本発明の場合、上記のバネ収納部８は、図９〜図１１に示される如く形成されるのでも良い。この実施例のバネ収納部８は、ロア１ｃの対向する隅の位置がバネ９を収納できる大きさに切り欠かれて段差状に形成されたものである。尚１３は、バネ９の脱落を防止する為のボルト、１４はこのボルト１３をロア１ｃに固定する為のナットである。
【００１７】
【発明の効果】
以上説明したように本発明は、バネ収納部に対応するロアの直近の側壁の位置がバネ収納部の深さの全長にわたって切り欠かれ、バネが露出状に収納されたものである。
従って本発明装置では、バネの点検を外部から見てロータの保守点検作業を行なえるから、これによればこの種作業を簡便化、容易化できるという効果を奏する。
又本発明は、ロータのメンテナンスにかかる手間暇を軽減できる分、維持コストを低減でき、更にはロアに切り欠きがある分、この種装置の軽量化を図れるから、より一層研削機の押し引きを軽く楽にするという利点がある。
【００１８】
又本発明は、バネ収納部が横断面略円形の孔状に形成され、このバネ収納部に対応するロアの直近の側壁が前後の側壁であり、この側壁の開口の幅がバネ収納部の直径より短く選定されている。それ故本発明の場合は、側壁の開口の幅より直径が大きいバネを選定することでバネ収納部からバネの脱落を防止でき、又視認の容易なロアの前後の位置からバネを点検できる。
従ってこれによれば、バネの脱落防止用の止め具を省略できる分、組立作業、組立コストを簡単化、低減化でき、又点検作業の容易化を図れるという利点がある。
【図面の簡単な説明】
【図１】本発明装置の好適な一例を示す使用状態時の要部正面図である。
【図２】同上装置の要部側面図である。
【図３】同上装置を備えた研削機の一部を切欠した側面図である。
【図４】図１のＩＶーＩＶ線における断面図である。
【図５】ロアの横断面図である。
【図６】ロアの平面図である。
【図７】ロアの正面図である。
【図８】図６のＶＩＩＩーＶＩＩＩ線における断面図である。
【図９】ロアの他の実施例を示す平面図である。
【図１０】図９の実施例のロアの正面図である。
【図１１】図９のＸＩーＸＩ線における断面図である。
【符号の説明】
１    ロータ
１ａ  回転軸
１ｃ  ロア
２    被研削面
４    回転刃
５    支軸
８    バネ収納部
９    バネ
１１  側壁
１２  開口
Ｄ    バネ収納部の深さ
Ｒ    バネ収納部の直径
Ｗ    開口の幅
【図１】
0003624356.tif 000002
【図２】
0003624356.tif 000003
【図３】
0003624356.tif 000004
【図４】
0003624356.tif 000005
【図５】
0003624356.tif 000006
【図６】
0003624356.tif 000007
【図７】
0003624356.tif 000008
【図８】
0003624356.tif 000009
【図９】
0003624356.tif 000010
【図１０】
0003624356.tif 000011
【図１１】
0003624356.tif 000012